(57)【要約】      （修正有）【課題】エッセンスを人体の皮膚にスプレーし、毎回、定量をスプレーすることができる、定量エレクトロスプレー噴霧装置を提供する。【解決手段】定量エレクトロスプレー噴霧装置は、本体１を備える。本体１内には、変圧器、回路基板、電極板３０、複数の液槽４０、複数の針管５０、動力機構６０及び定量装置７０が含まれる。電極板３０内には、複数の液槽４０が形成される。液槽４０上には、針管５０が設けられる。液槽４０内には液体が貯えられる。回路基板には、電極板３０及び針管５０が接続されて電流が流れ、液体が針管５０に流通されると、負イオンにより荷電されたミストが生成される。動力機構６０は、モータ６１を含む。モータ６１は、伝動軸６２を有する。伝動軸６２は、変速装置８０を旋回させる。変速装置８０は、リードスクリュー８１を昇降させ、リードスクリュー８１上には、押し板７１が枢着されて当接される。【選択図】図５
0003216579.tif 000002
【実用新案登録請求の範囲】
【請求項１】
本体を備えた定量エレクトロスプレー噴霧装置であって、
前記本体内には、変圧器、回路基板、電極板、複数の液槽、複数の針管、動力機構及び定量装置が含まれ、
前記電極板内には、前記複数の液槽が形成され、前記液槽上には、前記針管が設けられ、前記液槽内には液体が貯えられ、前記回路基板には、前記電極板及び前記針管が接続されて電流が流れ、液体が前記針管に流通されると、負イオンにより荷電されたミストが生成され、
前記動力機構は、モータを含み、前記モータは、伝動軸を有し、前記伝動軸は、変速装置を旋回させ、前記変速装置は、リードスクリューを昇降させ、前記リードスクリュー上には、押し板が枢着されて当接され、
前記定量装置は、前記液槽の底部に設けられたピストンを有し、前記液槽は、閉止する頂板を有し、前記頂板上には前記針管が設けられ、前記針管は、前記液槽に連通し、前記ピストンは、前記押し板に連動して上昇又は下降を行い、前記ピストンが前記動力機構により上昇されると、前記液槽内の液体が前記針管から噴出されて負イオンにより荷電されたミストが生成され、前記ピストンが前記動力機構により下降されると、前記針管を介して外部の液体が吸い取られて前記液槽内に進入されて次回のエレクトロスプレーの実行を待機することを特徴とする定量エレクトロスプレー噴霧装置。
【請求項２】
前記変速装置は、小歯車及び大歯車を有し、
前記小歯車の中心部には、前記モータの前記伝動軸が取り付けられ、
前記小歯車は、前記大歯車を駆動し、
前記大歯車の中心部には、ねじ孔が形成され、
前記ねじ孔を介して前記リードスクリューが昇降することを特徴とする請求項１に記載の定量エレクトロスプレー噴霧装置。
【請求項３】
前記本体には、前記針管に対応した位置にピンホールが形成されていることを特徴とする請求項１に記載の定量エレクトロスプレー噴霧装置。
【請求項４】
前記本体には、電源ケーブルが外付けされ、
前記電源ケーブルには、電源が接続され、前記変圧器、前記回路基板及び前記モータに電気を供給することを特徴とする請求項１に記載の定量エレクトロスプレー噴霧装置。
【請求項５】
前記変圧器は、前記回路基板の回路を駆動して電圧を増幅させ、整流回路により負極性の高電圧に変換して前記針管に印加することを特徴とする請求項１に記載の定量エレクトロスプレー噴霧装置。
【請求項６】
前記本体は、ハンドル部及びノズルヘッド部を有することを特徴とする請求項１に記載の定量エレクトロスプレー噴霧装置。
【請求項７】
前記ピストンと前記押し板との間には、ポールが設けられていることを特徴とする請求項１に記載の定量エレクトロスプレー噴霧装置。
【請求項８】
前記ハンドル部は、２つのスライド式ボタン及びスイッチを有することを特徴とする請求項６に記載の定量エレクトロスプレー噴霧装置。
【考案の詳細な説明】
【技術分野】
【０００１】
本考案は、定量エレクトロスプレー噴霧装置に関し、特に、フェイスマスク用又は皮膚をケアするエッセンス（ｅｓｓｅｎｃｅ）をエレクトロスプレーで人体の皮膚にナノジェットして皮膚から容易に吸収されるようにする上、従来のエレクトロスプレー装置では定量化できなかった問題点を改善し、エレクトロスプレーを行う度にエッセンスを定量噴出させ、ナノ化及び負イオンにより荷電されたエッセンスをスプレーする定量エレクトロスプレー噴霧装置に関する。
【背景技術】
【０００２】
従来、エッセンスは人類がよく使用する人類の皮膚をケアする液体であり、その大部分には高効果で安定した抗酸化物が含まれるため、皮膚の痛みを徐々に無くし、健康的かつきれいになり、皮膚の赤みを緩和して白くすることができる上、皮膚の保湿効果も有するため、美しさを求める現代女性にとって不可欠なケア用品となっている。一般によく見かける方式では、エッセンスをフェイスマスクに浸み込ませ、フェイスマスクにより人体の顔部又は皮膚を覆って人体の皮膚をケアしていたが、マスクで人体を覆うと、手間と時間が多くかかる上、待機時間が長いため不便であった。また、エッセンスをフェイスマスクに浸み込ませても、エッセンスの効果が十分発揮されないことがあるが、それは主にエッセンスの水粒子が大きいため人体の皮膚に吸収され難く、フェイスマスクも一時的にしか保湿することができない上、他の抗酸化物の作用も無かったため、多くの人にとって使用する上で効果が無かった。
【０００３】
人体の皮膚にエッセンスをスプレーするために使用する従来の装置は、主に高周波発振によりエッセンスをミスト状にして人体の皮膚上にスプレーし、霧化スプレー方式は多くの時間を節約することができ、フェイスマスクで長時間、スキンケアする必要は無かったが、高周波発振により霧化スプレーを行っても水粒子が依然として大きめであったため、人体の皮膚により吸収され難く、実際の効果が低く、スプレーにより皮膚が一時的に濡らされるだけであった。その後、エレクトロスプレー噴霧方式でエッセンスを人体の皮膚上にスプレーし、高圧電気でエッセンスの水滴を負イオン化し、負イオン化したエッセンスをナノ化した微細なミスト状粒子に生成してから、人体の皮膚上にスプレーすると、微細なミスト状エッセンス粒子が人体の皮膚内に浸み込み、人体により容易に吸収されるが、エレクトロスプレー装置が人体の皮膚上にスプレーする度にエッセンスのスプレー量を制御することは容易でなく、ユーザはエッセンスの残量及びスプレー量を把握することも容易でなかった。また、エッセンスをスプレー装置内に貯える場合、スプレー装置の貯蔵量には限界がある上、エッセンスが汚染し易く、スプレー量の調整が困難で、スプレーを定量化させることができず、使用することが困難であった。
【０００４】
従来のファイスマスクは、エッセンス効果が十分でなく、一時的な保湿効果しかない上、他の抗酸化修復作用が無く、噴霧器を使用してエッセンスを人体の皮膚にスプレーしても、水粒子が大きく、スプレーする度に定量噴出することもできないという欠点があった。
【考案の概要】
【考案が解決しようとする課題】
【０００５】
本考案の主な目的は、フェイスマスク用又は皮膚をケアするエッセンス（ｅｓｓｅｎｃｅ）をエレクトロスプレーで人体の皮膚にナノジェットすると、皮膚から容易に吸収される上、従来のエレクトロスプレー装置では定量化することができなかった問題点を改善し、エレクトロスプレーを行う度に、エッセンスが定量で噴出され、ナノ化されて負イオンにより荷電されたエッセンスをスプレーすることができる定量エレクトロスプレー噴霧装置を提供することにある。
【課題を解決するための手段】
【０００６】
上記課題を解決するために、本考案の第１の形態によれば、本体を備えた定量エレクトロスプレー噴霧装置であって、前記本体内には、変圧器、回路基板、電極板、複数の液槽、複数の針管、動力機構及び定量装置が含まれ、前記電極板内には、前記複数の液槽が形成され、前記液槽上には、前記針管が設けられ、前記液槽内には液体が貯えられ、前記回路基板には、前記電極板及び前記針管が接続されて電流が流れ、液体が前記針管に流通されると、負イオンにより荷電されたミストが生成され、前記動力機構は、モータを含み、前記モータは、伝動軸を有し、前記伝動軸は、変速装置を旋回させ、前記変速装置は、リードスクリューを昇降させ、前記リードスクリュー上には、押し板が枢着されて当接され、前記定量装置は、前記液槽の底部に設けられたピストンを有し、前記液槽は、閉止する頂板を有し、前記頂板上には前記針管が設けられ、前記針管は、前記液槽に連通し、前記ピストンは、前記押し板に連動して上昇又は下降を行い、前記ピストンが前記動力機構により上昇されると、前記液槽内の液体が前記針管から噴出されて負イオンにより荷電されたミストが生成され、前記ピストンが前記動力機構により下降されると、前記針管を介して外部の液体が吸い取られて前記液槽内に進入されて次回のエレクトロスプレーの実行を待機することを特徴とする定量エレクトロスプレー噴霧装置が提供される。
【考案の効果】
【０００７】
本考案の定量エレクトロスプレー噴霧装置は、フェイスマスク用又は皮膚をケアするエッセンス（ｅｓｓｅｎｃｅ）をエレクトロスプレーで人体の皮膚にナノジェットすると、皮膚から容易に吸収される上、従来のエレクトロスプレー装置では定量化することができなかった問題点を改善し、エレクトロスプレーを行う度に、エッセンスが定量で噴出され、ナノ化されて負イオンにより荷電されたエッセンスをスプレーすることができる。
【図面の簡単な説明】
【０００８】
【図１】図１は、本考案の一実施形態に係る定量エレクトロスプレー噴霧装置の本体を上斜めから見た斜視図である。
【図２】図２は、本考案の一実施形態に係る定量エレクトロスプレー噴霧装置の本体を下斜めから見た斜視図である。
【図３】図３は、本考案の一実施形態に係る定量エレクトロスプレー噴霧装置を示す底面図である。
【図４】図４は、本考案の一実施形態に係る定量エレクトロスプレー噴霧装置を示す側面図である。
【図５】図５は、本考案の一実施形態に係る定量エレクトロスプレー噴霧装置が外部のエッセンスを吸入する状態の断面図である。
【図６】図６は、本考案の一実施形態に係る定量エレクトロスプレー噴霧装置がエッセンスをエレクトロスプレーする状態を示す断面図である。
【図７】図７は、本考案の一実施形態に係る定量エレクトロスプレー噴霧装置の変速装置を示す平面図である。
【考案を実施するための形態】
【０００９】
図１〜図４を参照する。図１〜図４に示すように、本考案の一実施形態に係る定量エレクトロスプレー噴霧装置は、本体１を含む。本体１は、ハンドル部２及びノズルヘッド部３を有する。ハンドル部２は手で把持することができる。ハンドル部２は、２つのスライド式ボタン４，４ａ及びスイッチ５を有する。ノズルヘッド部３は、ハンドル部２の上側に設けられ、液体（エッセンス）を吸い取ってミストを噴出する。本体１内には、変圧器１０、回路基板２０、電極板３０、複数の液槽４０、複数の針管５０、動力機構６０（図５〜図７を参照する）及び定量装置７０が含まれる。本体１には、電源ケーブル６が外付けされる（又は本体１内に電池が設けられる）。電源ケーブル６には、電源が接続され、変圧器１０、回路基板２０及び動力機構６０の電力を電源が供給する。電極板３０は、円筒体であり、内部に複数の液槽４０が形成されている。液槽４０は、閉止式の小筒である。液槽４０は、閉止する頂板４１を有する。頂板４１上には、針管５０が設けられる。針管５０には、液槽４０が連通する。液槽４０内には液体（人体の皮膚をケアするエッセンス）が貯えられ、電極板３０及び針管５０に電流が流れる。変圧器１０により回路基板２０の回路を駆動し、電圧を増幅させ、整流回路により負極性の高電圧に変換して針管５０（負電極）に印加し、電子を放出して負イオンが生成される。液体が針管５０に流通されると、負イオンにより荷電されたミストが生成される。動力機構６０は、モータ６１を含む。モータ６１は、伝動軸６２を有する。伝動軸６２は、変速装置８０を旋回させる。変速装置８０は、リードスクリュー８１を昇降させる。変速装置８０は、小歯車８２及び大歯車８３を有する。小歯車８２の中心部には、モータ６１の伝動軸６２が取り付けられる。小歯車８２は、大歯車８３を駆動する。大歯車８３の中心部には、ねじ孔８３１が形成される。大歯車８３が旋回すると、ねじ孔８３１が同期で旋回してリードスクリュー８１の昇降を行う。ハンドル部２のスライド式ボタン４は、モータ６１の正回転を制御する。ハンドル部２の他方のスライド式ボタン４ａは、モータ６１の逆回転を制御する。ハンドル部２のスイッチ５は、電源を始動するために用いる。リードスクリュー８１上には、押し板７１が枢着されて当接される。定量装置７０は、ピストン７２、押し板７１及び液槽４０を含む。液槽４０の底部には、ピストン７２が設けられる。液槽４０は、閉止する頂板４１を有する。頂板４１上には、針管５０が設けられる。針管５０は、液槽４０に連通する。ピストン７２と押し板７１との間には、ポール７３が設けられる。本体１のノズルヘッド部３には、複数のピンホール３０１が形成される（図２及び図５を参照する）。ピンホール３０１は、針管５０の位置に対応する。ピストン７２は、押し板７１に連動して上昇又は下降を行い、ピストン７２が動力機構６０により上昇されると、液槽４０内の液体が針管５０から噴出されて負イオンにより荷電されたミストが生成され、ピストン７２が動力機構６０により下降されると、針管５０を介して外部の液体が吸い取られて液槽４０内に進入され、次回のエレクトロスプレーの実行を待機する。
【００１０】
上述したような定量エレクトロスプレー噴霧装置を実際に操作する際は、ハンドル部２のスイッチ５を押下げて電源を始動するとともに、ノズルヘッド部３のピンホール３０１をエッセンス内に浸すときに（例えば容器にエッセンスを貯え、ノズルヘッド部３のピンホール３０１を容器内のエッセンスに触れさせたときに）、スライド式ボタン４の１つを押動し、モータ６１の正回転を制御する。モータ６１の伝動軸６２は、小歯車８２を旋回させる。小歯車８２は、大歯車８３を駆動する。大歯車８３が旋回したときにねじ孔８３１を介してリードスクリュー８１を同期回転させて下降させると、ピストン７２が動力機構６０の動力を受けてリードスクリュー８１が下降する。液槽４０内の圧力が小さく、針管５０を介してエッセンスを吸い取って液槽４０内へ進入させてから、ノズルヘッド部３を人体の皮膚に位置合わせしてから他方のスライド式ボタン４ａを押動し、モータ６１の逆回転を制御する。モータ６１の伝動軸６２は、小歯車８２を再び逆回転させる。小歯車８２は、大歯車８３を駆動させる。大歯車８３が逆回転すると、ねじ孔８３１が同期で回転してリードスクリュー８１を上昇させ、ピストン７２が動力機構の動力を受けるとリードスクリュー８１が上昇し、液槽４０内の圧力が大きくなり、針管５０を介して液槽４０に吸い取られたエッセンスをスプレーする。上述した操作を繰り返して行うと、エッセンスが定量吸い取られ、ミスト状のエッセンスが噴出される。
【００１１】
同時に、変圧器１０により回路基板２０の回路を駆動し、駆動電圧を大きくし、整流回路により負極性の高電圧へ変換してから針管５０（負電極）へ印加し、リリースする電子に負イオンを発生させ、エッセンスが針管に流入すると、負イオンにより荷電されたナノミストが生成されるため、人体により容易に吸収される。
【００１２】
本考案は、エッセンスをエレクトロスプレー方式で導き出し、負イオン及びナノ状のエッセンスミストを得て、定量装置７０によりエッセンスを定量吸い取って定量噴出し、従来のエッセンスの粒子が大きすぎる欠点を改善し、エッセンスが毎回定量で噴出することができない従来技術の問題点を改善するとともに、エッセンスを外部に貯え、使用する際にスピーディに吸い取ってスピーディにスプレーすることにより、スプレー装置内が汚染されたりカビが繁殖したりすることを防ぐ。
【００１３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１４】
１    本体
２    ハンドル部
３    ノズルヘッド部
４    スライド式ボタン
４ａ  スライド式ボタン
５    スイッチ
６    電源ケーブル
１０  変圧器
２０  回路基板
３０  電極板
４０  液槽
４１  頂板
５０  針管
６０  動力機構
６１  モータ
６２  伝動軸
７０  定量装置
７１  押し板
７２  ピストン
７３  ポール
８０  変速装置
８１  リードスクリュー
８２  小歯車
８３  大歯車
３０１  ピンホール
８３１  ねじ孔
【図１】
0003216579.tif 000003
【図２】
0003216579.tif 000004
【図３】
0003216579.tif 000005
【図４】
0003216579.tif 000006
【図５】
0003216579.tif 000007
【図６】
0003216579.tif 000008
【図７】
0003216579.tif 000009